(57)【特許請求の範囲】
【請求項１】
同期転送モードが適用された網の節または末端で伝送情報の送信、受信、中継の何れかを行う網インタフェース手段と、
伝送速度が前記網に接続された通信装置に割り付けられたチャネルの伝送容量を超える特定の伝送情報のその通信装置による送信について、当該通信装置に割り付けられたチャネル以外に確保された優先チャネルを用いることを許可するか否かを判断する送信許否判別手段とを備え、
前記網インタフェース手段は、
前記特定の伝送情報の送信が許可されるときに、前記網を介して前記通信装置宛に、前記優先チャネルを用いて前記特定の伝送情報の送信を許可する旨の送信権を付与する
ことを特徴とする通信装置。
【請求項２】
請求項１に記載の通信装置において、
前記通信装置は、前記網を介して接続された他の複数の通信装置から受信する符号化された画像情報の少なくとも一つを選択的に復号して表示処理に供する画像復号化手段と、
前記画像復号手段によって復号される少なくとも一つの通信装置の選択の変更に応じて、前記新たに選択される通信装置にフレーム内符号化方式によって符号化された画像情報の送信を指示する指示手段とを備え、
前記送信許否判別手段は、前記新たに選択された通信装置による前記フレーム内符号化された画像情報を前記特定の伝送情報とする送信を許可する
ことを特徴とする通信装置。
【請求項３】
同期転送モードが適用された網の節または末端で伝送情報の送信と受信とを行う網インタフェース手段と、
伝送速度が自局に割り付けられたチャネルの伝送容量を超える特定の伝送情報を当該通信装置に割り付けられたチャネル以外に確保された優先チャネルを用いて前記網に対する送信することを許可する旨の送信権を識別する送信権識別手段とを備え、
前記網インタフェース手段は、
前記送信権識別手段によって前記送信権が識別されたときに、前記網インタフェース手段を介して前記優先チャネルを用いて前記網に前記特定の伝送情報を送信する
ことを特徴とする通信装置。
【請求項４】
請求項３に記載の通信装置において、
前記網インタフェース手段は、
前記網に対する前記特定の伝送情報として送信される画像情報の送信に際して、前記特定の伝送情報の宛先となる通信装置によって指示された特定の符号化方式を優先して適用する
ことを特徴とする通信装置。
【請求項５】
請求項１ないし請求項４の何れか１項に記載の通信装置において、
前記網インタフェース手段は、
前記優先チャネルとして、前記網において適用される通信方式におけるフレームを単位として割り付けたチャネルを用いる
ことを特徴とする通信装置。
【発明の詳細な説明】
【０００１】
【発明の属する技術分野】
本発明は、同期転送モードが適用された伝送系のノードまたは端末として備えられ、かつ音声、画像その他の多様な情報の送信、受信および中継の全てまたは一部を行う通信装置に関する。
【０００２】
【従来の技術】
同期転送モード（ＳＴＭ: Synchronous Transfer Mode) は、伝送されるべき有効な情報が含まれる時間率が大きい音声等の伝送に適した多重伝送方式として電話網やファクシミリ網等の回線交換網だけではなく、河川、ダムその他の監視制御、道路の交通監視、警備支援等のように、画像による遠隔監視を実現する多様な系にも広く適用されている。
図８は、同期転送モードが適用された監視制御系の構成例を示す図である。
【０００３】
図において、二重化された環状の伝送路９０には、親局９１と複数ｎの子局９２-1〜９２-nがそれぞれノードとして配置される。
親局９１は、下記の要素から構成される。
・  表示操作部９３、スピーカ９４および画像表示装置９５に接続された入出力インタフェース部９６
・  伝送路９０の先行する伝送区間と後続する伝送区間との双方に接続された伝送路インタフェース部９７
・  伝送路インタフェース部９７の受信出力に接続された受信端局部９８
・  出力が伝送路インタフェース部９７の送信入力に接続された送信端局部９９
・  これらの受信端局部９８および送信端局部９９と上述した入出力インタフェース部９６との段間に配置されたデータ処理部１００
また、子局９２-1は、下記の要素から構成される。
【０００４】
・  カメラ１０１-1、送受話器１０２-１および情報収集部１０３-1に接続された入出力インタフェース部１０４-1
・  伝送路９０の先行する伝送区間と後続する伝送区間との双方に接続された伝送路インタフェース部１０５-1
・  伝送路インタフェース部１０５-1の受信出力に接続された受信端局部１０６-1
・  伝送路インタフェース部１０５-1の送信入力に接続された送信端局部１０７-1
・  これらの受信端局部１０６-1および送信端局部１０７-1と上述した入出力インタフェース部１０４-1との段間に配置されたデータ処理部１０８-1
なお、子局９２-2〜９２-nの構成については、子局９２-1の構成と同じであるので、以下では、対応する構成要素に添え文字としてそれぞれ「２」〜「ｎ」が付加された同じ符号を付与し、ここでは、その図示および詳細な説明を省略する。
【０００５】
このような構成の従来例では、伝送路９０には、親局９１および子局９２-1〜９２-nにそれぞれ予め割り付けられたユニークな複数のタイムスロットと、同期、通信制御その他を実現する所定の制御情報の伝送に供される特定のタイムスロットとから構成されるフレームの列として、定常的な通信路が形成される。
なお、以下では、子局９２-1〜９２-nに共通の事項については、添え文字「１」〜「ｎ」の何れにも該当し得ることを示す添え文字「ｃ」を各構成要素の符号に付加して記述する。
【０００６】
子局９２-cでは、データ処理部１０８-cは、カメラ１０１-c、送受話器１０２-cおよび情報収集部１０３-1から入出力インタフェース部１０４を介して並行して与えられる画像情報、音声信号およびデータを符号化（ＣＲＣコードの生成および付加等の伝送路符号化を含む。）し、その符号化の結果として得られた符号の列を所定の形式の語の列に変換する。
【０００７】
伝送路インタフェース部１０５-cは、伝送路９０の先行する伝送区間から受信されたフレームの列との同期をとり、これらのフレーム上に形成されるチャネル（タイムスロットの組み合わせだけではなく、ビットスチール等に基づいて形成されるマルチフレームとして形成されるチャネルが含まれてもよい。）の内、子局９２-cに予め割り付けられたチャネル（タイムスロット）を特定する。
【０００８】
このようにして特定された個々のチャネルが時間軸上で形成される期間には、送信端局部１０７-cは、上述した語の列を順次伝送路インタフェース部１０５-cに与える。
伝送路インタフェース手段１０５-cは、伝送路９０の先行する伝送区間から受信されたフレームにこれらの語を順次インサート（アッド）することによって送信フレームを生成し、これらの送信フレームをこの伝送路９０の後続する伝送区間に送出する。
【０００９】
一方、親局９１では、伝送路９７インタフェース部は、伝送路９０の先行する伝送区間から受信されたフレームの列との同期をとり、これらのフレームによって形成されるチャネルの内、子局９２-1〜９２-nに予め割り付けられた全ての（この親局９１によって受信されるべき）チャネル（タイムスロット）を特定する。
このようにして特定された個々のチャネルが時間軸上で形成される期間には、受信端局部９８は、これらのチャネルを介して受信された符号の列を順次ディベロップ（ドロップ）し、かつ既述の伝送路符号化の方式に適合した復号化処理を施す。
【００１０】
さらに、受信端局部９８は、その復号化処理の結果として得られた符号の列をファーストイン・ファーストアウト方式に基づいて順次蓄積しつつデータ処理部１００に与える。
データ処理部１００は、子局９２-cにおいてデータ処理部１０８-cによって行われた処理に対して可逆的な処理をこれらの符号の列に施すことによって、既述の画像情報、音声信号およびデータを復元する。
【００１１】
入出力インタフェース部９６は、このようにして復元された画像情報、音声信号およびデータの内、所望の画像情報、音声信号およびデータをそれぞれ画像表示装置９５、スピーカ９４および表示操作部９３に与える。
また、データ処理部１００は、操作表示部９３から入出力インタフェース部９６を介して与えられた制御情報を符号化（ＣＲＣコードの生成および付加等の伝送路符号化を含む。）し、その符号化の結果として得られた符号の列を所定の形式の語の列に変換する。
【００１２】
伝送路インタフェース部９７は、既述の同期をとり、かつ伝送路９０の先行する伝送区間から受信されたフレーム上に形成されるチャネルの内、親局９１に予め割り付けられたチャネルを特定する。
このようにして特定された個々のチャネルが時間軸上で形成される期間には、送信端局部９９は、上述した語の列を順次分割しつつ伝送路インタフェース９７に与える。
【００１３】
伝送路インタフェース手段９７は、伝送路９０の先行する伝送区間から受信されたフレームにこれらの語を順次インサート（アッド）することによって送信フレームを生成し、これらの送信フレームをこの伝送路９０の後続する伝送区間に送出する。
子局９２-cでは、伝送路インタフェース部１０５-cは、伝送路９０の先行する伝送区間から受信されたフレームの列との同期をとり、これらのフレーム上に形成されるチャネルの内、自局に予め割り付けられた全てのチャネルを特定する。
【００１４】
これらの特定されたチャネルが時間軸上で形成される期間には、受信端局部１０６-cは、これらのチャネルを介して受信された符号の列を順次ディベロップし、かつ既述の伝送路符号化の方式に適合した復号処理を施す。
データ処理部１０８-cは、親局９１においてデータ処理部１００によって行われた処理に対して可逆的な処理をこれらの符号の列に施すことによっで、既述の制御情報を復元する。
【００１５】
入出力インタフェース部１０４-cは、このようにして復元された制御情報の内、所望の制御情報に適合した処理（例えば、カメラ１０１-cの制御、情報収集部１０３-cによって収集されるべきデータの選択・切り替え）を行う。
すなわち、情報量や伝送速度が異なる既述の画像情報、音声信号、データおよび制御情報は、例えば、図９に示すように、何れも送信元に該当する子局９２-cや親局９１に予め割り付けられ、かつ同期転送モードに基づいて伝送路９０を介して並行して形成されるチャネル（タイムスロット等）を介して伝送される。
【００１６】
したがって、親局９１では、伝送路９０を介して子局９２-1〜９２-nと連係することによって、これらの子局９２-1〜９２-nからその伝送路９０を介して並行して伝送される画像情報や音声信号に基づいて、所望の箇所の画像および音声による監視制御が達成される。
なお、下記の事項については、本願発明の特徴ではなく、かつ多様な公知の技術が適用されることによって実現が可能であるので、ここでは、その説明を省略する。
【００１７】
・  伝送路９０の冗長構成に適応した系構成の形態（例えば、待機冗長、常用冗長、Ｎ＋１方式等）
・  親局９１および子局９２-1〜９２-nによってチャネル（タイムスロット）単位に行われる中継処理
【００１８】
【発明が解決しようとする課題】
ところで、上述した従来例では、個々の画像情報、音声信号およびデータの伝送に供されるチャネルは、フレーム構成に適応したタイムスロット等として予め割り付けられていた。
したがって、これら画像情報、音声信号の伝送に適用されるべきチャネルの伝送容量は、所望の確度や品質で監視制御が行われる程度の余裕度が確保される大きな値に設定されていた。
【００１９】
また、並行して監視制御に供されない情報であってもこのようなチャネルを介して定常的に伝送されていたために、伝送路９０の伝送容量は必ずしも有効には活用されていなかった。
なお、このような伝送容量の利用効率は、例えば、伝送されるべき画像情報がフレーム間符号化され、あるいは既述のデータや音声信号が圧縮符号化されて伝送されることによって、実質的には高められ得る。
【００２０】
しかし、例えば、監視制御の対象となるべき項目や子局が切り替えられたときには、切り替えられた画像信号のフレーム間の相関性が著しく低下して長時間に亘って画像の品質が低下し、そのために監視制御が精度よく行われるべき重要な機会を無用に逃す可能性が高かった。
また、子局９２-1〜９２-nの数ｎが大きく、あるいはこれらの子局９２-1〜９２-nから何らかのデータがマルチフレームを介して引き渡される場合には、親局９１において受信端局部９８またはデータ処理部１００に備えられるべきバッファメモリのサイズは、大きな値に設定されなければならなかった。
【００２１】
さらに、既述のＣＲＣコードは、例えば、複数のフレームの共通のタイムスロットの列として子局９２-cと親局９１との間に形成されるマルチフレームの末尾に配置されて伝送される。
したがって、これらのマルチフレームに配置されたＣＲＣコードに基づく伝送誤りの有無の判別は、複雑であって規模が大きく、かつフレーム構成に適合したバッファメモリの管理を並行して行うハードウエアが搭載されなければ達成されなかった。
【００２２】
また、親局９１に備えられた伝送路インタフェース部９７には、その親局９１および子局９２-1〜９２-nにそれぞれ割り付けられたチャネル（タイムスロット等）を示すテーブルが備えられる。
しかし、このようなテーブルの構成およびサイズは、子局９２-1〜９２-nの台数ｎの増加、あるいはこれらの子局９２-1〜９２-nの負荷や機能の分散の形態が変更される度に更新されなければならない。
【００２３】
したがって、系構成にかかわる柔軟性は、必ずしも十分には高くなかった。
さらに、子局９２-1〜９２-nに対して既述のタイムスロット毎にチャネルが割り付けられる場合には、これらの子局９２-1〜９２-nの台数ｎの最大値はフレームを構成するタイムスロットの数に限定される。
したがって、フレーム構成やハイアラキによっては、増設の柔軟性が損なわれる可能性があった。
【００２４】
また、伝送路９０の伝送効率は、画像情報の伝送にフレーム間符号化とフレーム内符号化との一方が適宜切り替えられて適用されることによって高められる。しかし、このような切り替えの過程で生じる画像情報の伝送品質の劣化が回避されるためには、送信端と受信端とが同時にその画像情報の伝送に供されるべきチャネルの組み合わせを変更しなければならない。
【００２５】
したがって、従来例では、これらの送信端と受信端とにおける高い精度の同期制御を実現するハードウエアが備えられなければ、伝送品質は、十分に高くは維持されなかった。
本発明は、伝送品質が劣化することなく構成の簡略化および規模の削減が図られ、かつ増設その他の構成の変更に対して柔軟に適応できる通信装置を提供することを目的とする。
【００２６】
【課題を解決するための手段】
図１は、本発明の第一の原理ブロック図である。
請求項１に記載の発明では、網インタフェース手段１１は、同期転送モードが適用された網１０の節または末端で伝送情報の送信、受信、中継の何れかを行う。送信許否判別手段１３は伝送速度が前記網１０に接続された通信装置１２に割り付けられたチャネルの伝送容量を超える特定の伝送情報のその通信装置による送信について、当該通信装置１２に割り付けられたチャネル以外に確保された優先チャネルを用いることを許可するか否かを判断する。さらに、網インタフェース手段１１は、特定の伝送情報の送信が許可されるときに、網１０を介して通信装置１２宛に、優先チャネルを用いて特定の伝送情報の送信を許可する旨の送信権を付与する。
【００２７】
すなわち、網１０の状態その他の環境の下で上述した特定の伝送情報の送信が許容される場合には、その特定の伝送情報の送信端に該当する通信装置１２には、この網１０に適用された同期転送モードに基づいて、既に割り当てられているチャネル以外に確保された優先チャネルを介して上述した特定の伝送情報の送信を許可する旨の送信権が付与される。
このようにして、特定の伝送情報を上述した優先チャネルを介して送信させることにより、送信端の通信装置に割り当てられる伝送帯域を一時的に増大させることができる。また、このとき伝送される特定の情報は、その特定の伝送情報の伝送に供されるチャネルが送信端と受信端との間に上述した同期転送モードに基づいて形成される限り、網１０の構成が基本的に変更されることなく、これらのチャネルが時系列の順に集中して形成されるほど高速に網１０を介して伝送される。
【００２８】
図２は、本発明の第二の原理ブロック図である。
請求項２に記載の発明では、前記通信装置１２に備えられた画像復号化手段１４は、網１０を介して接続された他の複数の通信装置１２から受信する符号化された画像情報の少なくとも一つを選択的に復号して表示処理に供する。通信装置１２に備えられた指示手段１４は、画像復号化手段１５によって復号される少なくとも一つの通信装置１２の選択の変更に応じて、前記新たに選択される通信装置１２にフレーム内符号化方式によって符号化された画像情報の送信を指示する。また、送信許否判別手段１３は、前記新たに選択された通信装置１２による前記フレーム内符号化された画像情報を前記特定の伝送情報とする送信を許可する。
【００２９】
すなわち、通信装置１２によって網１０に送信される画像情報の符号化に適用されるべき画像符号化方式は、受信端の通信装置１２に備えられた画像復号化手段１５によって新たに選択される際に、指示手段からの指示に応じてフレーム内符号化方式に変更される。したがって、画像復号化手段１５によって選択的な復号化の対象となる符号化された画像情報の送信端が変更されるごとに、送信端の通信装置からフレーム内符号化された画像情報が送信される。
【００３０】
このようにして、受信端の通信装置１２において復号化処理の対象とする送信端の通信装置１２の変更と、送信端の通信装置１２による符号化方式の変更とを同期させ、復号化処理対象の変更に応じて、対象となる送信端の通信装置１２からフレーム内符号化方式に基づいて符号化された画像情報を得ることができるので、復号化対象の画像情報の切り替えに起因して無用な伝送品質の劣化が生じることなく、速やかに、かつ確度高く正常な画像情報を表示処理に供することができる。
請求項３に記載の発明では、網インタフェース手段２１は、同期転送モードが適用された網１０の節または末端で伝送情報の送信と受信とを行う。送信権識別手段２２は、伝送速度が自局に割り付けられたチャネルの伝送容量を超える特定の伝送情報を当該通信装置に割り付けられたチャネル以外に確保された優先チャネルを用いて前記網に対する送信することを許可する旨の送信権を識別する。さらに、網インタフェース手段２１は、送信権識別手段２２によって上述した送信権が識別されたときに、網インタフェース手段２１を介して前記優先チャネルを用いて網１０に特定の伝送情報を送信する。
【００３１】
すなわち、既述の送信権が、その網１０と上述した特定の伝送情報を中継あるいは受信するノードの状態とに適合する限り、網１０には、この特定の伝送情報の伝送に供されるべき伝送容量が優先チャネルとして確保される。
したがって、本発明にかかわる通信装置１２が上述した優先チャネルを介して上述した特定の伝送情報を送信することにより、網１０を介して接続された受信端宛に、その通信装置に割り付けられチャネルの伝送容量を超える伝送速度で確度高く上述した特定の伝送情報を送信することができる。
【００３２】
請求項４に記載の発明では、網インタフェース手段２１は、網１０に対する特定の伝送情報として送信される画像情報の送信に際して、前記特定の伝送情報の宛先となる通信装置１２Ｂによって、指示された特定の符号化方式を優先して適用する。
すなわち、本発明の通信装置１２は、その特定の伝送情報を受信すべき受信端からの指示に応じて、画像情報の符号化方式を切り替え、指示された符号化方式に従って符号化された画像情報を特定の伝送情報としてこの網１０を介して伝送する。
【００３３】
これにより、例えば、受信端の通信装置１２からの指示に応じて、フレーム内符号化方式によって符号化された画像情報を優先チャネルを介して送信し、受信端の通信装置において、新たな表示対象の画像情報を速やかに形成することができる。
請求項５に記載の発明では、網インタフェース手段１１、２１は、優先チャネルとして、前記網１０において適用される通信方式におけるフレームを単位として割り付けたチャネルを用いる。
【００３４】
例えば、網１０に接続される通信装置１２の数に相当する数のフレームからなるマルチフレームに含まれる各フレームを個々の通信装置１２に対応する優先チャネルとして割り当てることにより、同期伝送方式におけるフレームを構成するタイムスロットの数にかかわらず、マルチフレームを構成することが可能な数の通信装置１２に優先チャネルを割り当て、これらの通信装置１２相互間で柔軟な情報伝送を実現することができる。
したがって、特定の伝送情報の受信に際して行われるべき復号化その他の処理の簡略化および標準化が図られる。
請求項１に記載の発明の第一の下位概念の発明では、送信許否判別手段１３は、網インタフェース手段１１を介して受信され、かつ網１０に接続された通信装置１２以外の通信装置１２Ａによって発せられた送信権の委譲を識別したときに、許否の判別を行う。
【００３５】
すなわち、このような判別は、網１０の余剰の伝送容量が増加したときに適宜行われる。
したがって、通信装置１２は、網１０を介する特定の伝送情報の伝送に供されるべき伝送容量がその網１０に確保される時点まで、その特定の伝送情報の送信を確実に見合わせることができる。
【００３６】
請求項１に記載の発明の第二の下位概念の発明では、送信許否判別手段１３は、通信装置１２によって発せられ、かつ網インタフェース手段１１を介して受信された送信権の要求を識別したときに、許否の判別を行う。
すなわち、このような判別は、特定の伝送情報の送信元に該当する通信装置１２がその特定の伝送情報を送信可能となったときに適宜行われる。
【００３７】
したがって、網１０の余剰の伝送容量は、その網１０を介して実際に伝送されるべき特定の伝送情報の送信端に対して的確に割り付けられる。
請求項３に記載の発明の第一の下位概念の発明では、網インタフェース手段２１は、特定の伝送情報が網１０に送信されるべきときに、網１０に送信権の要求を送信する。
【００３８】
すなわち、特定の伝送情報の送信は、本発明にかかわる通信装置がその特定の伝送情報を受信可能な状態となる時点まで保留され得る。
したがって、このような特定の伝送情報の受信は、その受信に供されるべきバッファのサイズおよび処理量に無用な余裕度が確保されることなく達成される。
請求項３に記載の発明の第二の下位概念の発明では、網インタフェース手段２１は、網１０に対する特定の情報の送信を完了したときに、その特定の情報の送信に先行して識別された送信権の委譲を意味する通知をその網１０に送信する。
【００３９】
すなわち、「本発明にかかわる通信装置以外の通信装置（ノード）」に対して、上述した特定の伝送情報の伝送に供された網１０の伝送帯域の確実な割り付けが可能となる。
したがって、網１０の伝送効率は、安定に高く維持される。
請求項３に記載の発明の第三の下位概念の発明では、網インタフェース手段２１は、送信権識別手段２２によって送信権が識別されたときに、予め割り付けられたユニークな識別情報を特定の伝送情報と共に網１０に送信する。
【００４０】
すなわち、このような特定の伝送情報を受信した受信端では、上述したユニークな識別情報に基づいてその特定の伝送情報の送信元を識別することができる。
したがって、特定の伝送情報は、上述した受信端では、網１０を介して複数の送信端から並行して個別に送信された場合であっても、これらの特定の伝送情報は、送信端毎に峻別され、かつ個々の送信端に適応した処理が的確に施される。
【００４１】
請求項１ないし請求項４に記載の発明の第一の下位概念の発明では、網インタフェース手段１１、２１は、送信権、あるいはその送信権の委譲を意味する通知に応じて本発明にかかわる通信装置以外の通信装置が特定の伝送情報を送信する期間を識別し、その期間に亘って送信を見合わせる。
すなわち、網１０を介して何らかの特定の伝送情報で伝送される期間には、その網１０に接続された個々の通信装置（ノード）は、同期転送モードに基づいて本来的に割り付けられたチャネルに対する送信を行わない。
【００４２】
したがって、網１０では、その網１０の伝送帯域の全てあるいは大半を介して特定の伝送情報が優先的に伝送に供される期間における混信の発生が回避される。
請求項１ないし請求項４に記載の発明の第二の下位概念の発明では、網インタフェース手段１１、２１は、同期転送モードに適合したフレーム構成に整合し、かつ時系列の順に連なるチャネルを介して前記特定の伝送情報を送信する。
【００４３】
すなわち、特定の伝送情報は、情報量や伝送速度が大きい場合であっても、上述したフレーム構成の下で許容される限り、無用に分割されることなく高速にブロック転送される。
したがって、このような特定の伝送情報の受信端では、個々のチャネルを介して受信された系列の組み立てや蓄積にかかわる処理が簡略化され、かつ伝送遅延の短縮が図られる。
【００４４】
請求項１ないし請求項４に記載の発明の第三の下位概念の発明では、網インタフェース手段１１、２１は、同期転送モードに適合したフレーム構成では予約されていないチャネルのみを介して前記特定の伝送情報を送信する。
すなわち、網１０に接続された個々のノード（通信装置）では、その網１０を介して何らかの特定の伝送情報が伝送される期間であっても、同期転送モードに基づいて個別に本来的に割り付けられたチャネルに対するアクセスを継続して行うことができる。
【００４５】
したがって、上述した特定の伝送情報の伝送に適用されるべき伝送帯域が十分に確保される限り、通信制御の手順に対する柔軟な適応に併せて、その手順の簡略化が図られる。
請求項１ないし請求項４に記載の発明の第四の下位概念の発明では、網インタフェース手段１１、２１は、特定の伝送情報の送信元あるいは宛先に該当する他の通信装置と網１０を介して連係し、その特定の伝送情報の伝送に適用されるべき符復号化の方式を特定する。
【００４６】
すなわち、特定の伝送情報は、その特定の伝送情報を中継し、あるいは受信すべき通信装置と、網１０の状態との双方もしくは何れか一方に適合した符復号化の方式に基づいてその網１０を介して伝送される。
したがって、このような符復号化の方式が予め決められている場合に比べて、構成、トラヒックの分布その他に対する柔軟な適応が可能となる。
【００４７】
請求項１ないし請求項５に記載の発明の下位概念の発明では、網インタフェース手段１１、２１は、網１０を構成する異なる伝送区間の節点、もしくはその網１０と他の網１０Ａとの節点において、これらの伝送区間または網における伝送方式、ハイアラキおよび通信制御の手順の全てまたは一部の相違を吸収する。
すなわち、特定の伝送情報は、その特定の伝送情報の伝送に供されるリンクの全体に亘って伝送方式、ハイアラキおよび通信制御の手順の何れが異なる場合であっても、所望の受信端宛に確実に伝送される。
【００４８】
したがって、多様な構成に対する本発明の柔軟な適用が可能となる。
【００４９】
【発明の実施の形態】
以下、図面に基づいて本発明の実施形態について詳細に説明する。
図３は、本発明の第一ないし第八の実施形態を示す図である。
図において、伝送路９０には親局９１Ａに併せて、複数ｎの子局９２Ａ-1〜９２Ａ-nがノードとして配置される。
親局９１Ａには、図８に示す伝送インタフェース部９７と受信端局部９８にそれぞれ代わるインタフェース部３１と受信端局部３２とが備えられる。
【００５０】
子局９２Ａ-1には、図８に示す受信端局部１０６-1および送信端局部１０７-1にそれぞれ代わる受信端局部４１-1および送信端局部４２-1が備えられる。
なお、子局９２Ａ-2〜９２Ａ-nの構成については、子局９２Ａ-1の構成と同じであるので、ここでは、その詳細な説明および図示を省略する。
また、子局９２Ａ-1〜９２Ａ-nに共通の事項については、以下では、これらの子局９２Ａ-1〜９２Ａ-nの何れにも該当し得ることを意味する添え文字「ｃ」を対応する構成要素の符号に付加して記述する。
【００５１】
さらに、伝送路９０の伝送区間の内、既述の系構成に基づいて現用の伝送区間として適用される伝送区間については、下記の通りに称する。
・  子局９２Ａ-cから親局９１Ａに至る区間に形成される伝送区間…「上りのリンク」
・  親局９１Ａから子局９２Ａ-cに至る区間に形成される伝送区間…「下りのリンク」
以下、図３を参照して本発明の第一の実施形態の動作を説明する。
【００５２】
親局９１Ａでは、伝送路インタフェース部３１は、送信端局部９９、データ処理部１００、入出力インタフェース部９６および操作表示部９３の全てもしくは一部と連係することによって、または自立的に下記の事項を特定する。
・  子局９２Ａ-1〜９２Ａ-nの内、例えば、カメラ１０１-cによって与えられた画像情報（以下、「特定の画像情報」という。）を親局９１宛に優先的に送信すべき子局（以下、「特定の子局」という。）９２Ａ-c
・  既定のフレーム構成に基づいて形成され、かつ子局９２Ａ-1〜９２Ａ-nに個別に予め割り付けられているチャネル（以下では、簡単のため、単一のタイムスロットからなる「既設チャネル」であると仮定する。）の内、上述した特定の画像情報の伝送に一時的に適用されるべき複数のチャネル（以下、「優先チャネル」という。）
・  これらの複数の優先チャネルが形成されるべきフレーム（以下、「特定のフレーム」という。）
なお、子局９２Ａ-1〜９２Ａ-nの内、上述した特定の子局９２Ａ-c以外の全ての子局に共通の事項については、以下では、「１」ないし「ｎ」の何れかに該当し、かつ記述の添え文字「ｃ」には該当しない番号を意味する添え文字「ｐ」を対応する構成要素の符号に付加して記述する。
【００５３】
また、上述した優先チャネルの数については、以下では、簡単のため、既定のフレーム構成に基づいて形成されるフレームに時分割多重化され得る最大の数ｍに対して(ｍ−１)以下であると仮定する。
伝送路インタフェース部３１は、伝送路９０との同期を維持しつつ、図４(a) に示すように、上述した特定のフレームのヘッダ（ここでは、簡単のため、先頭に配置された「第一のタイムスロットＴＳ１」であると仮定する。）を介して下りのリンクに、下記の事項を意味する「システムバイト」を送信する。
【００５４】
・  既述の特定の画像情報を子局９２Ａ-cが優先的に送信することが許容されることを意味する「送信権」の付与
・  下りのリンクを介して上述したシステムバイトが受信された時点以降に上りのリンクに形成されるフレーム上のチャネル（ここでは、簡単のため、タイムスロットの単位に形成されると仮定する。）の内、この特定の画像情報の伝送に供されるべきチャネル（ここでは、簡単のため、図４(b) に網掛けを付して示すように、該当するタイムスロットの第二のタイムスロット以降の全てのタイムスロットに該当すると仮定する。）の組み合わせ
一方、子局９２Ａ-cでは、下記の「基準語ｃ」と「既定語」とが受信端局部４１-cに予め与えられる。
【００５５】
・  自局のみに上述した「送信権」が付与されたことの識別に供されるべきユニークな「基準語ｃ」
・  下りのリンクを介して受信され、かつ子局９２Ａ-1〜９２Ａ-nがそれぞれ受信端に伝送されるべき伝送情報が多重化されたフレームのヘッダに配置されるべき「既定語」
さらに、受信端局部４１-cは、下りのリンクを介して受信され、かつ伝送路インタフェース部３１-cが行う同期制御の下で識別された個々のフレームのヘッダの値について、上述した「基準語ｃ」および「既定語」の双方との相関をとる。
【００５６】
受信端局部４１-cは、これらの相関の結果として「ヘッダの値が基準語ｃに等しいこと」を識別したときには、データ処理部１０８-c、送信端局部４２-1および伝送路インタフェース部１０５-c宛に、その旨を通知する。
データ処理部１０８-cは、カメラ１０１-cから入出力インタフェース部１０４-cを介して与えられる画像情報に所定の符号化その他の処理を施すことによって既述の特定の画像情報を生成する。
【００５７】
送信端局部４２-cは、このような特定の画像情報を所定の語長の語（以下、「単位画像語」という。）の列に分割しつつ順次伝送路インタフェース部１０５-cに与える。
伝送路インタフェース部１０５-cは、下記の通りに構成されたフレームの列を親局９１Ａ宛に順次送信する。
【００５８】
・  ヘッダ（第一のタイムスロットＴＳ１）に上述した「基準語ｃ」が配置される。
・  そのヘッダに後続する複数のタイムスロットとして形成された既述の優先チャネルに、上述した特定の画像情報が単位画像語の単位に分割されて配置される。
【００５９】
また、子局９２Ａ-1〜９２Ａ-nの内、子局９２Ａ-c以外の他の子局９２Ａ-pでは、受信端局部４１-pには、上述した基準語ｃと異なるユニークな「基準語ｐ」が予め与えられる。
受信端局部４１-pは、下りのリンクを介して受信され、かつ伝送路インタフェース部３１-pが行う同期制御の下で識別された個々のフレームヘッダの値について、「基準語ｐ」および「既定語」の双方との相関をとる。
【００６０】
受信端局部４１-pは、これらの相関の結果として「ヘッダの値が基準ｐと既定語との何れとも異なること」を識別した場合には、該当するフレームの如何なるチャネルを介して受信された情報にも何ら処理を施さない。
なお、子局９２Ａ-1〜９２Ａ-nに備えられた受信端局部４１-1〜４３-nの何れも、下りのリンクを介して受信されたヘッダの値が「既定語」に等しいフレームについては、そのフレームに形成されたチャネルの内、自局に対応する「既定チャネル」を介して受信された情報のディベロップその他の処理を従来例と同様にして行う。
【００６１】
さらに、親局９１Ａでは、伝送路インタフェース部３１は、下りのリンクに既述のシステムバイトを送信した時点以降に上りのリンクに形成されるべきフレーム上のチャネルの内、上述した優先チャネルを介して受信された特定の画像情報に関しては、その上りのリンクを介して受信された他の情報との相違を意味する制御情報と共に、順次受信端局部３２に与える。
【００６２】
受信端局部３２は、このような特定の画像情報に関しては、上述した制御情報に基づいてチャネル（タイムスロット）単位の区分その他の処理を施すことなく、データ処理部１００に引き渡す。
データ処理部１００は、この特定の画像情報に復号化その他の所定の処理を一括して施し、その処理の結果として順次得られる画像信号を入出力インタフェース部９６を介して画像表示装置９５に与える。
【００６３】
すなわち、親局９１Ａは子局９２Ａ-1〜９２Ａ-nの内、所望の単一の子局９２Ａ-cに送信権を主導的に付与し、このような送信権が付与された子局９２Ａ-cに備えられたカメラ１０１-cによって捉えられた画像を示す特定の画像情報は、伝送路９０に適用された既定のフレーム構成が何ら変更されることなく、かつこの子局９２Ａ-c以外の複数の子局９２Ａ-pに本来的に割り付けられた「既設チャネル」が一時的に適用されることに起因する混信が生じることなく、確実に親局９１Ａに伝送される。
【００６４】
また、本実施形態では、特定の画像情報は、個々のフレームに時系列の順に多重化された複数の優先チャネルを介してバースト状に送信される場合には、例えば、その特定の画像情報が分割されてなる既述の単位画像語の語長が適正に設定されることによって、フレームの単位にＣＲＣコードが付加され得る。
すなわち、このような特定の画像情報を受信すべき親局９１Ａに備えられた受信端局部３２（特定の画像情報が子局９２Ａ-cによって受信され得る場合には、その子局９２Ａ-cに備えられた受信端局部４１-cも該当し得る。）は、上述したＣＲＣコードに基づく特定の画像情報の正否の判別をフレーム周期以下の短い周期で完了することができる。
【００６５】
したがって、本実施形態によれば、親局９１Ａや子局９２Ａ-cでは、特定の画像情報の伝送を実現するハードウエアの規模が確実に削減され、かつ実装および熱設計にかかわる制約が大幅に緩和されると共に、信頼性の向上と消費電力の削減とが図られる。
なお、本実施形態では、親局９１Ａの主導の下で子局９２Ａ-cに対してフレームの単位に送信権が付与されている。
【００６６】
しかし、本発明はこのような構成に限定されず、例えば、フレーム単位に多重化されるチャネルの数に比べて、特定の画像情報の伝送に適用されるべき優先チャネルの数が小さい場合には、このような優先チャネルと共通のフレームに形成される他のチャネルは、既述の既定チャネル、あるいは異なる子局に割り付けられた他の優先チャネルとの双方もしくは何れか一方として適用されてもよい。
【００６７】
また、本実施形態では、ヘッダに既述のシステムバイトが配置され、かつ特定の画像情報の伝送に供されるフレームが形成されるべき頻度と、このような頻度の決定、あるいは所望の子局に対する既述の送信権の付与に適用されるべきアルゴリズムとが具体的に示されていない。
しかし、これらの頻度やアルゴリズムについては、従来例との対比において本発明に特有の作用効果が達成され、かつ所望の伝送品質やサービス品質が保証される限り、如何なるものであってもよい。
【００６８】
さらに、本実施形態では、子局９２Ａ-cは親局９１Ａによって付与された送信権を親局８１に対して積極的には返上していない。
しかし、本発明は、このような構成に限定されず、例えば、付与された送信権に応じて送信すべき単位画像語の情報量や語長が変化し得る場合には、その送信権の範囲で適用可能な何らかの優先チャネル（あるいは既設チャネル）を介してこの送信権の返上を申告し、このような申告に供されたチャネルに後続する余剰のチャネルは、他の子局あるいは親局によって既述の既設チャネルその他として活用されてもよい。
【００６９】
また、本実施形態では、特定の画像情報の伝送に供されるべき優先チャネルは、親局９１Ａが主導的に行う通信制御の下で決定され、かつ子局９２Ａ-cに適宜割り付けられている。
しかし、本発明はこのような構成に限定されず、所定の同期転送モードおよびフレーム構成に基づく伝送が伝送路９０を介して確実に行われるならば、送信権の付与と、その送信権に基づく優先チャネルの割り付けとは、例えば、親局９１Ａと子局９２Ａ-1〜９２Ａ-nとの間で所定のアルゴリズムに基づいて相互に引き渡されるトークンに基づいて、これらの親局９１Ａおよび子局９２Ａ-1〜９２Ａ-nの何れかによって適宜行われ、あるいはこれらの連係の下で行われてもよい。
【００７０】
さらに、本実施形態では、優先チャネルの割り付けと、システムバイトの伝送とは、個々のフレームに形成されたタイムスロットの単位に行われている。
しかし、本発明はこのような構成に限定されず、例えば、伝送路９０に適用されたフレームの構成に基づいて何らかのマルチフレーム（ビットスチールにもとづくものを含む。）が形成される場合には、このようなマルチフレームに形成されるチャネルが上述したタイムスロットと同様に適用されてもよい。
【００７１】
以下、図３を参照して本発明の第二の実施形態の動作を説明する。
本実施形態の特徴は、子局９２Ａ-cおよび親局９１Ａが連係して行う下記の処理の手順にある。
子局９２Ａ-cでは、送信端局部４２-cは、下記の何れかの場合には、「カメラ１０１-cから入出力インタフェース部１０４-cおよびデータ処理部１０８-cを介して与えられた画像情報を親局９１Ａ宛に優先的に送信するために、既述の送信権が必要であること」を認識する。
【００７２】
・  所定のバッファ（図示されない。）に蓄積され、親局９１Ａ宛に送信されるべき画像情報その他の情報の情報量が既定の閾値を上回った。
・  上述した画像情報が親局９１Ａ宛に優先的に速やかに伝送されるべきことを意味する要求（例えば、親局９１Ａや他の子局から下りのリンクを介して与えられ、あるいは図示されない操作表示部によって与えられる。）を識別した。
【００７３】
さらに、送信端局部４２-cは、伝送路インタフェース部１０５-cと連係することによって上りのリンクを介して親局９１Ａ宛に、「自局宛に付与されるべき送信権」の要求（以下、「送信権要求」という。）を発する。
なお、このような送信権要求については、下記の何れの情報として親局９１Ａ宛に送信されてもよい。
【００７４】
・  子局９２Ａ-cに割り付けられた既設チャネルを介して伝送される情報
・  既定のフレーム構成の下で下りのリンクに形成され、子局９２Ａ-1〜９２Ａ-nによって共用される共用チャネル（特定のタイムスロット（既述のマルチフレームに形成されるものを含む。）として形成されてもよい。）を介して伝送される。
【００７５】
また、複数ｎの子局９２Ａ-1〜９２Ａ-nがこのような共用チャネルを捕捉し、あるいは活用するために行う排他制御については、所定の信頼性、伝送品質および応答性が確保される限り、コンテンション方式、ポーリング方式その他の如何なる方式に基づいて達成されてもよい。
一方、親局９１Ａでは、受信端局部３２は、伝送路インタフェース部３１を介して受信された送信権要求をデータ処理部１００に引き渡す。
【００７６】
データ処理部１００は、この送信要求を既定の形式に基づいて解析することによって、その送信要求に応じて送信権が付与されるべき子局９２Ａ-cの識別子ｃを取得し、かつ「送信権が付与されるべき子局の識別子の列として形成される待ち行列（図示されない。）」にその識別子ｃを繋ぐ。
さらに、データ処理部１００は、この待ち行列を既定のアルゴリズムに基づいて参照することによって、送信権が付与されるべき子局をその待ち行列に最先に繋がれた識別子で示される子局として順次特定する。
【００７７】
このようにして子局９２Ａ-cに送信権が付与されるべき場合には、データ処理部１００は、待ち行列を介して取得された識別子ｃに対応するユニークな「基準語ｃ」を生成し、この基準語ｃを送信端局部９９に引き渡す。
送信端局部９９は、伝送路インタフェース部９７と連係することによって、下りのリンクにこの基準語ｃを既述のシステムバイトとして送信する。
【００７８】
子局９２Ａ-1〜９２Ａ-nは、何れもこのようなシステムバイトを受信すると、そのシステムバイトに応じて上述した第一の実施形態に既述の処理を行い、かつ親局９１Ａと連係する。
すなわち、子局９２Ａ-1〜９２Ａ-nの何れに対する送信権の付与も、親局９１Ａの主導の下ではなく、その送信権の付与が必要である子局によって親局９１Ａ宛に発せられた送信権要求に応じて適宜行われる。
【００７９】
したがって、本実施形態によれば、子局９２Ａ-1〜９２Ａ-nの状況を必ずしも的確に識別することができない親局９１Ａの主導の下で、これらの子局９２Ａ-1〜９２Ａ-nに対する送信権の付与が行われる場合に比べて、同期転送モードに基づいて伝送路９０に形成されるチャネルの有効利用が図られ、かつ監視制御にかかわる信頼性や応答性が高められる。
【００８０】
なお、本実施形態では、親局９１Ａは、送信権が付与されるべき子局９２Ａ-cに対して既述のシステムバイトが送出される前には、その子局９２Ａ-cによって発せられた送信権要求に対する応答を何ら送出していない。
しかし、本発明は、このような構成に限定されず、伝送路９０の伝送効率が著しく低下し、あるいは輻輳状態が無用に加速されない限り、例えば、親局９１Ａが送信権要求の送信元である子局に対して速やかに応答を送信し、これらの親局と子局との間における連係にかかわる適正なアルゴリズムに基づく通信手順が適用されることによって、信頼性が高められてもよい。
【００８１】
また、本実施形態では、子局９２Ａ-cによって発せられた送信権要求に対する応答は、上述した第一の実施形態と同様に既述のシステムバイトとしてその子局９２Ａ-cに引き渡されている。
しかし、このような応答には、付与される送信権の具体的な内容として、例えば、下記の項目が含まれてもよい。
【００８２】
・  親局９１Ａが行う通信制御の下で優先チャネルとして割り付けられ、あるいは割り付けられ得るチャネル（タイムスロット）のフレーム上の配置
・  これらのチャネルの数、あるいは伝送容量の上限値
さらに、上述した第一および第二の実施形態では、親局９１Ａは、単一の子局のみに送信権を付与し、その送信権に基づく特定の画像情報の送信が完了したときに他の単一の子局に対して送信権を付与している。
【００８３】
しかし、例えば、並行して複数の子局に送信権が付与される場合には、既述のシステムバイトのように、個々の送信権が付与されるべき子局の識別子を実効的に含むユニークな情報は、ヘッダに限定されず、既定のフレーム構成に基づいて形成される異なるチャネルに配置され、あるいは特定の単一または複数のチャネルにビットまたは既定の語の単位にパックされて個々の子局に引き渡されてもよい。
【００８４】
以下、図３を参照して本発明の第三の実施形態の動作を説明する。
本実施形態の特徴は、親局９１Ａと子局９２Ａ-cとが連係して行う下記の処理の手順にある。
子局９２Ａ-cでは、データ処理部１０８-cは、既述の第一または第二の実施形態と同様にして送信権が付与されると、フレーム毎に多重化され、その送信権に基づく特定の画像情報の伝送に供されるべき優先チャネルに配置可能な単位画像語の列に、この特定の画像情報を分割する。
【００８５】
さらに、データ処理部１０８-cは、送信元である子局９２Ａ-cを示す識別情報をこれらの単位画像語に個別に所定の形式で付加することによって、「部分画像情報」の列を生成する。
送信端局部４２-1は、伝送路インタフェース部１０５-cと連係することによって上りのリンクに、例えば、図５に実線で示すフレーム構成に基づいてこれらの部分画像情報を順次送信する。
【００８６】
一方、親局９１Ａでは、データ処理部１００は、操作表示部９３を介して操作者等によって与えられ、かつ画像表示装置９５によって表示されるべき画像情報の送信元を示す「画像情報識別子」を受信端局部３２に与える。
受信端局部３２は、子局９２Ａ-1〜９２-nの何れかによって上りのリンクに送信された画像情報を伝送路インタフェース部３１と連係することによって受信する。
【００８７】
さらに、受信端局部３２は、このような画像情報の内、既述の送信権に基づいて優先チャネルを介して受信された部分画像情報（特定の画像情報）については、下記の処理を施す。
・  個々の部分画像情報に含まれ、その部分画像情報の送信元を示す識別情報を上述した形式に基づいて取得する。
【００８８】
・  その識別情報と既述の「画像情報識別子」とを比較する。
・  両者が一致した場合に限って、この部分画像情報をデータ処理部１００に引き渡す。
データ処理部１００は、このようにして引き渡された部分画像情報に所定の処理を施し、この処理の結果として得られた画像信号を入出力インタフェース部９６を介して画像表示装置９５に与える。
【００８９】
すなわち、親局９１Ａでは、データ処理部１００は、画像表示装置９５を介して表示されるべき特定の画像情報に限って、所定の処理を施すことができる。
したがって、上りのリンクを介して受信された全ての特定の画像情報に対してデータ処理部１００が同様の処理を施す場合に比べて、そのデータ処理部１００の処理量は実体的な監視制御にかかわる処理に有効に利用され、かつ応答性や信頼性が高められると共に、消費電力やランニングコストの削減が図られる。
【００９０】
なお、本実施形態では、送信権が単一の子局９２Ａ-cのみに与えられ、その送信権に応じて親局９１Ａ宛に送信される特定の画像情報の送信元も単一となっている。
しかし、本発明はこのような構成に限定されず、送信権が並行して付与された複数の子局によって、例えば、図４および図５に点線で示されるフレーム構成に基づいて並行して異なる特定の画像情報が親局９１Ａ宛に伝送される場合には、データ処理部１００は、これらの特定の画像情報の内、画像表示装置９５を介して表示されるべき画像情報のみに対して既述の処理を施してもよい。
【００９１】
したがって、送信権が並行して付与される子局の数が大きい値であっても、上述した応答性や信頼性は高く維持され、かつ消費電力およびランニングコストの大幅な削減が可能となる。
以下、図３を参照して本発明の第四の実施形態の動作を説明する。
本実施形態の特徴は、下記の点にある。
【００９２】
・  既述の単位画像語の語長
・  親局９１Ａに備えられた伝送路インタフェース部３１、送信端局部９９および受信端局部３２と、子局９２Ａ-cに備えられた伝送路インタフェース部１０５-c、送信端局部４２-cおよび受信端局部４１-cとによって行われ、その語長に適応した処理の手順
親局９１Ａでは、送信端局部９９は、伝送路インタフェース部３１との連係の下でフレーム毎に異なる複数のユニークなシステムバイトをサイクリックに下りのリンクに送出することによって、これらのシステムバイトにそれぞれ対応した異なる複数の子局に順次送信権を付与する。
【００９３】
なお、これらの複数の子局に対して送信権を付与するために行われるべき排他制御その他のアルゴリズムについては、本発明の特徴ではなく、かつ多様な公知技術の適用が可能であるので、ここではその説明を省略する。
一方、子局９２Ａ-cでは、送信端局部４２-cは、下記の処理を行う。
・  既述の第一ないし第三の実施形態の何れかと同様にして付与された送信権に応じて送信されるべき特定の画像情報については、伝送路９０に適応したフレーム構成の下で単一のフレームに形成されるチャネルの内、その特定の画像の伝送に供され得る全ての優先チャネルの伝送容量（ここでは、簡単のため、一定の値であると仮定し、以下では、「単位伝送容量」という。）以下の語長を有する単位画像語の列に分割する。
【００９４】
・  これらの単位画像語を上述した単位伝送容量に等しい語（以下、「部分単位画像語」）の列に変換する。
・  このようにして生成された部分単位画像語を順次所定のバッファ上に蓄積する。
伝送路インタフェース部３１は、送信端局部４２-cおよび受信端局部３２と連係することによって、図６に示すように、既述のシステムバイトが自局に対する送信権の付与を意味することを識別する度に、その送信権に対応する優先チャネルを介して上りのリンクに上述したバッファに最先に蓄積された部分単位画像語を順次送信する。
【００９５】
なお、親局９１Ａに備えられた伝送路インタフェース部３１、送信端局部９９および受信端局部３２と、子局９２Ａ-cに備えられた伝送路インタフェース部１０５-c、送信端局部４２-cおよび受信端局部４１-cとによって行われる処理の基本的な手順については、上述した点を除いて既述の第一ないし第三の実施形態に記述された通りである。
【００９６】
すなわち、多数（フレーム単位に多重化されるチャネル（タイムスロット）の数以上であってもよい。）の子局に対して、既設チャネルの伝送品質、伝送速度の低下が許容される限度において、並行して送信権が付与される。
したがって、本実施形態によれば、下りのリンクの余剰の伝送容量は上述した送信権に基づく特定の画像情報の送信に有効に活用され、かつ監視制御の精度、信頼および効率が高められる。
【００９７】
なお、本実施形態では、優先チャネルは、個々のフレームに形成された全てのチャネル（タイムスロット）として形成されている。
しかし、本発明はこのような構成に限定されず、例えば、個々のフレームに形成されるチャネル（タイムスロット）の内、伝送品質や伝送速度の低下が許容されない既設チャネル以外のチャネルが優先チャネルとして適用されてもよい。
【００９８】
以下、図３を参照して本発明の第五の実施形態の動作を説明する。
本実施形態の特徴は、親局９１Ａに備えられた伝送路インタフェース部３１、送信端局部９９、受信端局部３２およびデータ処理部１００と、子局９２Ａ-cに備えられた伝送路インタフェース部１０５-c、送信端局部４２-c、受信端局部４１-cおよびデータ処理部１０８-cとによって行われる下記の処理の手順にある。
【００９９】
親局９１Ａでは、データ処理部１００は、上りのリンクを介して子局９２Ａ-1〜９２Ａ-nから受信された画像情報に対して画像フレーム間の相関をとり、その結果に基づいて、例えば、侵入者の検出のように、監視制御の精度や確度が高められるべき事象を検出した場合には、下記の処理を行う。
・  該当する画像情報が既述の送信権の付与に基づいて優先チャネルを介して受信された特定の画像情報に該当するか否かを判別する。
【０１００】
・  この判別の結果が偽である場合には、既述の第一ないし第三の実施形態の何れかと同様に送信端局部９９および伝送路インタフェース部３１と連係することによって、この画像情報の送信元である子局（以下では、簡単のため、符号「９２Ａ-c」で示す。）に送信権を付与する。
・  上述した判別の結果の如何にかかわらず、入出力インタフェース部９６と連係することによって、該当する画像情報を優先的に画像表示装置９５を介して表示し、かつ操作表示部９３およびスピーカ９４を介してその旨の通知を出力する。
【０１０１】
さらに、送信端局部９９は、伝送路インタフェース部３１と連係することによって子局９２Ａ-c宛に、上述した事象の発生を通知する。
なお、このような通知は、ここでは、簡単のため、例えば、図７(a) に示すように、送信権の付与を示すシステムバイトに含まれ、そのシステムバイトがユニークであることが損なわれる原因となり得ない余剰のビット（以下、「特定ビット」という。）の論理値（上記の事象が発生していない期間には「０」に設定される。）が「１」に設定されることによって達成されると仮定する。
【０１０２】
一方、子局９２Ａ-cでは、データ処理部１０８-cは、伝送路インタフェース部１０５-cおよび受信端局部４１-cと連係することによって上述した通知を識別すると、入出力インタフェース部１０４-cを介してカメラ１０１-cから後続して与えられた画像情報に施されるべき符号化の方式をフレーム間符号化方式からフレーム内符号化方式に切り替える。
【０１０３】
さらに、送信端局部４２-cは、伝送路インタフェース部１０５-cと連係することによって、例えば、図７(b) に示されるように、優先チャネルを介して親局９１Ａ宛に、上述したフレーム内符号化方式に基づいて生成された特定の画像情報を順次送信する。
親局９１Ａでは、データ処理部１００は、このようにして優先チャネルを介して子局９２Ａ-cから受信された特定の画像情報に、例えば、その特定の画像情報の形式（語長であってもよい。）に基づいて識別された画像符号化方式（上述したフレーム間符号化方式とフレーム内符号化方式との何れか一方）に適合する復号化処理を施すことによって、画像情報を復元し、かつ入出力インタフェース部９６を介して画像表示装置９５にその画像情報を順次出力する。
【０１０４】
すなわち、画像情報に基づく監視制御が精度よく行われるべき事象が発生した子局は、速やかに、かつ確実に送信権が付与され、その送信権に基づいて割り付けられた優先チャネルを介して親局９１Ａ宛に、フレーム間符号化方式に基づいて先行して生成されていた特定の画像情報（図７(c))に代えて、フレーム内符号化方式に基づいて生成された特定の画像情報を速やかに送信することができる。
【０１０５】
したがって、本実施形態によれば、親局９１Ａでは、上述した事象が発生した子局９２Ａ-cから受信された特定の画像情報をフレーム内符号化方式に適合した復号化方式に基づいて、画像フレーム間の相関処理を伴うことなく速やかに表示される。
なお、本実施形態では、上述した事象が生起した子局９２Ａ-cから送信された特定の画像情報の伝送にフレーム内符号化方式と、そのフレーム内符号化方式に適合した復号化方式とが自動的に適用されている。
【０１０６】
しかし、これらのフレーム内符号化方式および復号化方式は、例えば、操作者によって与えられる指示に応じて適用されてもよい。
また、本実施形態では、優先チャネルを介して伝送される特定の画像情報には、その特定の画像情報の生成に適用された符号化の方式を示す情報が何ら含まれていない。
【０１０７】
しかし、本発明はこのような構成に限定されず、例えば、親局９１Ａに備えられたデータ処理部１００が上述した符号化の方式を識別するために行うべき処理の簡略化が図られ、あるいはその処理の確度が高められるならば、既述の優先チャネルおよび既設チャネルの伝送効率の低下が許容される限り、上りのリンクを介して親局９１Ａ宛に、その符号化の方式を示す情報が特定の画像情報と共に伝送されてもよい。
【０１０８】
さらに、本実施形態では、送信権が付与された全ての子局には、上述した事象が発生したか否かにかかわらず、共通の伝送容量の優先チャネルが割り付けられている。
しかし、本発明はこのような構成に限定されず、例えば、既述の通知に応じて適用された画像符号化方式に適合する伝送容量の優先チャネルが送信権に基づいて適宜割り付けられてもよい。
【０１０９】
また、本実施形態では、既述の通知に応じて特定の画像情報の復号化の処理にかかわる簡略化と高速化とが達成されるフレーム内符号化方式がフレーム間符号化方式に代えて適用されている。
しかし、本発明はこのようなフレーム内符号化方式に限定されず、例えば、復号化処理に要する処理量が増加しても特定の画像情報に基づく監視制御の精度や確度の向上が図られる高度の画像復号化処理および画像処理が適用されてもよい。
【０１１０】
さらに、本実施形態では、送信権の付与、優先チャネルの割り付けおよび特定の画像情報の生成に適用されるべき画像符号化の方式の選択の全ては、親局９１Ａによって主導的に行われている。
しかし、本発明はこのような構成に限定されず、例えば、画像情報に基づく監視制御の負荷と機能との双方もしくは何れか一方が複数の親局もしくは子局に分散される場合には、上述した送信権の付与、優先チャネルの割り付けおよび特定の画像情報の生成に適用されるべき画像符号化の方式の選択は、これらの負荷や機能を担う親局や子局とが連係し、または互いに協調することによって達成されてもよい。
【０１１１】
また、本実施形態では、特定の画像情報のみが優先チャネルを介して伝送されている。
しかし、本発明はこのような構成に限定されず、例えば、上述した特定の画像情報に併せて、その特定の画像情報と共に速やかに、かつ効率的に伝送されるべき音声情報その他の如何なる情報が優先チャネルを介して伝送されてもよい。
【０１１２】
以下、図３を参照して本発明の第六の実施形態の動作を説明する。
本実施形態の特徴は、親局９１Ａに備えられたデータ処理部１００によって行われる下記の処理の手順にある。
データ処理部１００は、子局９２Ａ-1〜９２Ａ-nからそれぞれ受信された画像情報（特定の画像情報を含む。）がファーストイン・ファーストアウト方式に基づいて順次蓄積されるべきバッファ（図示されない。）を有する。
【０１１３】
データ処理部１００は、子局９２Ａ-cから何らかの画像情報（以下、「カレント画像情報」が受信されると、この画像情報の復号化に先行して下記の処理を行う。
・  上述したバッファの記憶領域の内、子局９２Ａ-cに対応した空の記憶領域にそのカレント画像情報を順次蓄積する。
【０１１４】
・  このカレント画像情報の生成に適用された画像符号化の方式（以下、「カレント画像符号化方式」という。）を識別する。
・  このカレント画像情報に先行して子局９２Ａ-cから受信され、かつバッファに蓄積されている画像情報（以下、「先行画像情報」という。）の生成に適用された画像符号化の方式（以下、「先行画像符号化方式」という。）を識別する。
【０１１５】
・  これらのカレント画像符号化方式と先行画像符号化方式とが同じであるか否かを判別する。
・  この判別の結果が偽である場合には、カレント画像符号化方式がフレーム内符号化方式であるか否かを判別する。
・  その判別の結果が真である場合に限って、上述したバッファに蓄積され、かつ送信元が子局９２Ａ-cである画像情報の内、カレント画像情報に先行して蓄積された全ての画像情報（既述の先行画像情報を含む。）を廃棄する。
【０１１６】
さらに、データ処理部１００は、このようなバッファに蓄積された画像情報を適宜読み出して復号化することによって画像信号を生成し、かつ入出力インタフェース部９６を介して画像表示装置９５にその画像信号を与える。
すなわち、子局９２Ａ-cにおいて適用された画像符号化の方式がフレーム間符号化方式からフレーム内符号化方式に変更された場合には、親局９１Ａでは、そのフレーム間符号化方式に基づいて生成され、かつ上りのリンクを介して受信された画像情報（特定の画像情報）の復号化処理が確実に省略されると共に、このフレーム内符号化に基づいて生成された画像情報（特定の画像情報）の復号化が速やかに開始される。
【０１１７】
したがって、例えば、既述の事象が発生した子局にかかわる監視制御は、画像表示装置９５によって表示される画像の品質が無用に劣化することなく円滑に、かつ高い精度および確度で続行される。
なお、上述した各実施形態では、共通のフレーム構成に基づいて同期転送モードによる伝送が行われる伝送路９０にノードとして配置された親局９１Ａおよび子局９２Ａ-1〜９２Ａ-nからなる監視制御系に本発明が適用されている。
【０１１８】
しかし、本発明は、このような監視制御系に限定されず、例えば、伝送方式や通信手順が異なる複数の伝送路（網）に接続された通信装置にも、これらの伝送路（網）の何れかに同期転送モードが適用され、その同期転送モードに基づく多重伝送が物理的に継続して行われる限り、所望の伝送方式や通信手順の相違を吸収する手段が併せて付加されることによって同様に適用可能である。
【０１１９】
また、上述した各実施形態では、送信権が付与された複数の子局から並行して受信された全ての画像情報が蓄積され、その蓄積に供されるバッファのサイズの範囲で画像情報の欠落が回避されると共に、画像表示装置９５には、所望の複数の画像情報が、例えば、サムネイルとして表示され、あるいはフレーム単位に間引かれつつ表示される。
【０１２０】
しかし、本発明はこのような構成に限定されず、例えば、画像表示装置９５によって表示されるべき画像情報の組み合わせと、これらの画像情報が表示されるべき形式については、その画像表示装置９５を介して達成されるべき監視制御その他の目的に整合する限り、如何なるものであってもよい。
さらに、上述した各実施形態では、既述のシステムバイトが各フレームの先頭のタイムスロットに配置されている。
【０１２１】
しかし、このようなシステムバイトは、フレーム先頭に限定されず、所望の子局によって確実に識別される限り、例えば、下記の何れのチャネルを介して伝送されてもよい。
・  送信権が付与されるべき局に本来的に割り付けられた既設チャネル（タイムスロット）
・  先行して付与された送信権に応じて送信された画像情報の末尾に後続するチャネル（タイムスロット）
また、上述した各実施形態では、特定の画像情報の送信に供される優先チャネルは、先頭のタイムスロットに既述のシステムバイトが配置されたフレームにおいてそのタイムスロットに時系列の順に連なる複数のタイムスロットの列として形成されている。
【０１２２】
しかし、このような優先チャネルは、例えば、下記の何れのチャネルの列として形成されてもよい。
・  送信権が付与された（その送信権を示すシステムバイトが受信された）時点において、何れの有効なトラヒック（呼）にも割り付けられていないチャネル（タイムスロット）
・  この送信権を主導的に付与する親局９１Ａ等から下りのリンクを介して配信（通知）された識別情報で示されるチャネル（タイムスロット）
なお、上述した有効なトラヒック（呼）の識別については、伝送路９０を介して行われるべき伝送情報の伝送を実現する通信制御や呼設定の過程において公知の多様な技術が適用されることによって達成され、かつ本発明の特徴ではないので、ここではその説明を省略する。
【０１２３】
さらに、上述した各実施形態では、優先チャネルを介して行われる特定の画像情報の伝送が既設チャネルを介して本来的に行われるべき伝送情報の送信より優先されることに起因して、その伝送情報の伝送遅延が過大となった場合に行われるべき技術的な対処が何ら開示されていない。
しかし、このような対処については、例えば、以下に例示されるように、公知の多様な技術の適用によって達成され、かつ本発明の特徴ではないので、ここではその説明を省略する。
【０１２４】
・  伝送遅延が所定の上限値を超えた伝送情報の廃棄
・  伝送情報（伝送遅延が所定の上限値を超えたものに限定されてもよい。）の圧縮符号化による高速伝送
また、上述した各実施形態では、親局９１Ａや子局９２Ａ-1〜９２Ａ-nには、既述の通信制御の過程で適宜参照され、かつ送信権に基づいて割り付けられるべき優先チャネルのフレーム上における配置に何ら関連性がないユニークな識別情報が付与されている。
【０１２５】
しかし、このような識別情報は、例えば、子局９２Ａ-1〜９２Ａ-nについては、これらの子局９２Ａ-1〜９２Ａ-nに個別に割り付けられた既設チャネル（もしくはその既設チャネルがフレーム上に配置されたタイムスロット）を示す番号に等しく、かつ親局９１Ａについては、これらの番号の何れにも該当しない番号であってもよい。
【０１２６】
さらに、上述した各実施形態では、優先チャネルを介して伝送される特定の画像情報には、その特定の画像情報の送信元である子局の識別情報が既述の単位画像語あるいは部分単位画像語毎に適宜付加されている。
しかし、本発明はこのような構成に限定されず、例えば、このような特定の画像情報の宛先（親局９１Ａ）によってその特定の画像情報の送信元が識別された後に送信される単位画像語あるいは部分単位画像語には、上述した識別情報は含まれなくてもよい。
【０１２７】
また、上述した各実施形態では、特定の画像情報は、記述の単位画像語あるいは部分単位画像語の単位に分割され、かつ複数のチャネル（タイムスロット）の集合からなる優先チャネルを介して伝送されている。
しかし、このような特定の画像情報は、例えば、優先チャネルを構成する複数のチャネル（タイムスロット）に個別に配置可能な形式およびサイズのセルの列として順次伝送され、かつ受信端において適正な順序制御が行われることによって復元されてもよい。
【０１２８】
さらに、上述した各実施形態では、付与された優先権に応じて特定の画像情報の伝送に供される優先チャネルの伝送容量と、その優先チャネルを介してフレーム単位に伝送される単位画像語や部分単位画像語の語長との双方が一定の値に設定されている。
しかし、これらの伝送容量および語長は、個々の特定の画像情報の送信端と受信端との双方において共通の値に確実に保たれる限り、適宜更新されてもよい。
【０１２９】
また、上述した各実施形態では、子局９２Ａ-1〜９２Ａ-nの何れも優先チャネルを介して親局９１Ａ宛に特定の画像情報を送信している。
しかし、本発明は、このような構成に限定されず、例えば、異なるノード（子局等）の間に優先チャネルを介してエンド・ツー・エンドのパスが形成されるべき伝送系にも適用可能である。
【０１３０】
さらに、本実施形態では、親局９１Ａと子局９２Ａ-1〜９２Ａ-nとの何れも専用のハードウエアによって構成されている。
しかし、本発明はこのような構成に限定されず、例えば、親局９１Ａと子局９２Ａ-1〜９２Ａ-nとの何れを構成する要素も、蓄積論理に基づいて作動し、あるいは蓄積プログラム制御方式に基づいて既述の処理に等価な処理を行う要素として構成されてもよい。
【０１３１】
また、親局９１Ａと子局９２Ａ-1〜９２Ａ-nとの何れも、如何なる形態で負荷分散や機能分散が図られた要素の組み合わせとして構成されてもよい。
さらに、本発明は、上述した実施形態に限定されるものではなく、本発明の範囲において、多様な形態による実施形態が可能であり、かつ構成装置の一部もしくは全てに如何なる改良が施されてもよい。
【０１３２】
以下、上述した各実施形態に開示された発明を階層的・多面的に整理し、付記項として列記する。
（付記１）  同期転送モードが適用された網１０の節または末端で伝送情報の送信、受信、中継の何れかを行う網インタフェース手段１１と、
伝送速度が前記網１０に接続された通信装置１２に割り付けられたチャネルの伝送容量を超える特定の伝送情報のその通信装置１２による送信について、当該通信装置１２に割り付けられたチャネル以外に確保された優先チャネルを用いることを許可するか否かを判断する送信許否判別手段１３とを備え、
前記網インタフェース手段１１は、
前記特定の伝送情報の送信が許可されるときに、前記網１０を介して前記通信装置１２宛に、前記優先チャネルを用いて前記特定の伝送情報の送信を許可する旨の送信権を付与する
ことを特徴とする通信装置。
【０１３３】
（付記２）  付記１に記載の通信装置において、
前記送信許否判別手段１３は、
前記網インタフェース手段１１を介して受信され、かつ前記網１０に接続された前記通信装置１２以外の通信装置１２Ａによって発せられた送信権の委譲を識別したときに、前記許否の判別を行う
ことを特徴とする通信装置。
【０１３４】
（付記３）  付記１に記載の通信装置において、
前記送信許否判別手段１３は、
前記通信装置１２によって発せられ、かつ前記網インタフェース手段１１を介して受信された送信権の要求を識別したときに、前記許否の判別を行う
ことを特徴とする通信装置。
【０１３５】
（付記４）  付記１ないし付記３の何れか１項に記載の通信装置において、
前記通信装置１２は、前記網１０を介して接続された他の複数の通信装置１２から受信する符号化された画像情報の少なくとも一つを選択的に復号して表示処理に供する画像復号化手段１５と、
前記画像復号手段１５によって復号される少なくとも一つの通信装置１２の選択の変更に応じて、前記新たに選択される通信装置１２にフレーム内符号化方式によって符号化された画像情報の送信を指示する指示手段１４とを備え、
前記送信許否判別手段１３は、前記新たに選択された通信装置１２による前記フレーム内符号化された画像情報を前記特定の伝送情報とする送信を許可する
ことを特徴とする通信装置。
【０１３６】
（付記５）  同期転送モードが適用された網１０の節または末端で伝送情報の送信と受信とを行う網インタフェース手段２１と、
伝送速度が自局に割り付けられたチャネルの伝送容量を特定の伝送情報を当該通信装置１２に割り付けられたチャネル以外に確保された優先チャネルを用いて前記網１０に対する送信することを許可する旨の送信権を識別する送信権識別手段２２とを備え、
前記網インタフェース手段２１は、
前記送信権識別手段２２によって前記送信権が識別されたときに、前記網インタフェース手段２１を介して前記優先チャネルを用いて前記網１０に前記特定の伝送情報を送信する
ことを特徴とする通信装置。
【０１３７】
（付記６）  付記５に記載の通信装置において、
前記網インタフェース手段２１は、
前記特定の伝送情報が前記網１０に送信されるべきときに、前記網１０に前記送信権の要求を送信する
ことを特徴とする通信装置。
【０１３８】
（付記７）  付記５または付記６に記載の通信装置において、
前記網インタフェース手段２１は、
前記網１０に対する前記特定の情報の送信を完了したときに、その特定の情報の送信に先行して識別された送信権の委譲を意味する通知をその網１０に送信する
ことを特徴とする通信装置。
【０１３９】
（付記８）  付記５ないし付記７の何れか１項に記載の通信装置において、
前記網インタフェース手段２１は、
前記送信権識別手段２２によって前記送信権が識別されたときに、予め割り付けられたユニークな識別情報を前記特定の伝送情報と共に前記網１０に送信する
ことを特徴とする通信装置。
【０１４０】
（付記９）  付記５ないし付記８の何れか１項に記載の通信装置において、
前記網インタフェース手段２１は、
前記網１０に対する前記特定の伝送情報として送信される画像情報の送信に際して、前記特定の伝送情報の宛先となる通信装置１２Ｂによって指示された特定の符号化方式を優先して適用する
ことを特徴とする通信装置。
【０１４１】
（付記１０）  付記１ないし付記９の何れか１項に記載の通信装置において、
前記網インタフェース手段１１、２１は、
前記送信権、あるいはその送信権の委譲を意味する通知に応じて本発明にかかわる通信装置以外の通信装置が前記特定の伝送情報を送信する期間を識別し、その期間に亘って送信を見合わせる
ことを特徴とする通信装置。
【０１４２】
（付記１１）  付記１ないし付記１０の何れか１項に記載の通信装置において、前記網インタフェース手段１１、２１は、
前記同期転送モードに適合したフレーム構成に整合し、かつ時系列の順に連なるチャネルを介して前記特定の伝送情報を送信する
ことを特徴とする通信装置。
【０１４３】
（付記１２）  付記１ないし付記１１の何れか１項に記載の通信装置において、
前記網インタフェース手段１１、２１は、
前記同期転送モードに適合したフレーム構成では予約されていないチャネルのみを介して前記特定の伝送情報を送信する
ことを特徴とする通信装置。
【０１４４】
（付記１３）  付記１ないし付記１２の何れか１項に記載の通信装置において、
前記網インタフェース手段１１、２１は、
前記特定の伝送情報の送信元あるいは宛先に該当する他の通信装置と前記網１０を介して連係し、その特定の伝送情報の伝送に適用されるべき符復号化の方式を特定する
ことを特徴とする通信装置。
【０１４５】
（付記１４）  付記１ないし付記１３の何れか１項に記載の通信装置において、
前記網インタフェース手段１１、２１は、
前記網１０を介して前記特定の伝送情報を送信すべき通信装置１２Ａ宛に、その特定の伝送情報の伝送に適用されるべき特定の符号化方式を指示する
ことを特徴とする通信装置。
【０１４６】
（付記１５）  付記１ないし付記１４の何れか１項に記載の通信装置において、
前記網インタフェース手段１１、２１は、
前記網１０を構成する異なる伝送区間の節点、もしくはその網１０と他の網１０Ａとの節点において、これらの伝送区間または網における伝送方式、ハイアラキおよび通信制御の手順の全てまたは一部の相違を吸収する
ことを特徴とする通信装置。
【０１４７】
【発明の効果】
上述したように請求項１に記載の発明では、伝送速度が予め割り付けられたチャネルの伝送容量を超える特定の伝送情報は、その特定の伝送情報の伝送に供されるチャネルが既定の同期転送モードに基づいて形成され、かつ送信端と受信端との双方によってアクセス可能である限り、網の構成が基本的に変更されることなく、これらのチャネルが時系列の順に集中して配置されるほど高速に伝送される。
【０１４８】
また、請求項２に記載の発明では、フレーム内符号化方式に基づいて符号化された画像情報は、フレーム間符号化方式に整合した復号化が施されることに起因して無用な伝送品質の劣化が生じることなく、速やかに、かつ確度高く受信される。
さらに、請求項３に記載の発明では、本発明にかかわる通信装置は、網を介して接続された受信端宛に、その通信装置に割り付けられチャネルの伝送容量を超える伝送速度で確度高く特定の伝送情報を送信することができる。
【０１４９】
また、請求項４に記載の発明では、網およびその網にアクセスするノードや端末の多様な構成および性能に対する柔軟な適応が可能となる。
さらに、請求項５に記載の発明では、特定の伝送情報の受信に際して行われるべき復号化その他の処理の簡略化および標準化が図られる。
また、請求項１に記載の発明の第一の下位概念の発明では、網を介する特定の伝送情報の伝送に供されるべき伝送容量がその網に確保される時点まで、その特定の伝送情報の送信が確実に保留される。
【０１５０】
さらに、請求項１に記載の発明の第二の下位概念の発明では、網の余剰の伝容量は、その網を介して実際に伝送されるべき特定の伝送情報の送信端に対して的確に割り付けられる。
また、請求項３に記載の発明の第一の下位概念の発明では、特定の伝送情報の受信は、その受信に供されるべきバッファのサイズおよび処理量に無用な余裕度が確保されることなく達成される。
【０１５１】
さらに、請求項３に記載の発明の第二の下位概念の発明では、網の伝送効率が安定に高く維持される。
また、請求項３に記載の発明の第三の下位概念の発明では、網を介して複数の送信端から並行して送信された特定の伝送情報は、受信端において送信端毎に峻別され、かつ個々の送信端に適応した処理が的確に施される。
【０１５２】
さらに、請求項１ないし請求項４に記載の発明の第一の下位概念の発明では、網の伝送帯域の全てあるいは大半を介して特定の伝送情報が優先的に伝送に供される場合であっても、混信の発生が回避される。
また、請求項１ないし請求項４に記載の発明の第二の下位概念の発明では、個々のチャネルを介して受信された系列の組み立てや蓄積にかかわる処理が簡略化され、かつ伝送遅延の短縮が図られる。
【０１５３】
さらに、請求項１ないし請求項４に記載の発明の第三の下位概念の発明では、特定の伝送情報の伝送に適用されるべき伝送帯域が十分に確保される限り、所望の通信制御の手順に対する柔軟な適応に併せて、その手順の簡略化が図られる。また、請求項１ないし請求項４に記載の発明の第四の下位概念の発明では、特定の伝送情報の伝送に適用されるべき符復号化の方式が予め決められている場合に比べて、構成、トラヒックの分布その他に対する柔軟な適応が可能となる。
【０１５４】
さらに、請求項１ないし請求項５に記載の発明の下位概念の発明では、多様な構成に対する本発明の柔軟な適応が可能となる。
したがって、これらの発明が適用された伝送系では、構成の簡略化と規模の削減が図られ、このような構成の変更に対する柔軟な適応に併せて、余剰の伝送容量の有効な利用が図られる。
【図面の簡単な説明】
【図１】本発明の第一の原理ブロック図である。
【図２】本発明の第二の原理ブロック図である。
【図３】本発明の第一ないし第八の実施形態を示す図である。
【図４】本発明の第一の実施形態におけるフレーム構成を示す図である。
【図５】本発明の第三の実施形態におけるフレーム構成を示す図である。
【図６】本発明の第四の実施形態におけるフレーム構成を示す図である。
【図７】本発明の第五の実施形態におけるフレーム構成を示す図である。
【図８】同期転送モードが適用された監視制御系の一例を示す図である。
【図９】従来例におけるフレーム構成を示す図である。
【符号の説明】
１０，１０Ａ  網
１１，２１  網インタフェース手段
１２，１２Ａ，１２Ｂ  通信装置
１３  送信許否判別手段
１４  符号化方式識別手段
１５  画像復号化手段
２２  送信権識別手段
３１，９７，１０５  伝送路インタフェース手段
３２，４１，９８，１０６  受信端局部
４２，９９，１０７  送信端局部
９０  伝送路
９１，９１Ａ  親局
９２，９２Ａ  子局
９３  表示装置部
９４  スピーカ
９５  画像表示装置
９６，１０４  入出力インタフェース部
１００，１０８  データ処理部
１０１  カメラ
１０２  送受話器
１０３  情報収集部
【図１】
0004025526.tif 000002
【図２】
0004025526.tif 000003
【図３】
0004025526.tif 000004
【図４】
0004025526.tif 000005
【図５】
0004025526.tif 000006
【図６】
0004025526.tif 000007
【図７】
0004025526.tif 000008
【図８】
0004025526.tif 000009
【図９】
0004025526.tif 000010